(57)【要約】カムシャフトチェーンテンショナであって、少なくとも１つの溝を含む外周面を有するピストン；外周面の周りに位置決めされ、第１の端部および第２の端部を含む拡張可能なクリップであって、前記拡張可能なクリップは、静止直径から拡張直径まで拡張可能であり、静止直径に存在する拡張可能なクリップは、溝のうちの１つの溝と係合し、拡張直径に存在する拡張可能なクリップは、ピストン上に加えられた軸方向の力に応じてピストンの軸方向の移動を許容する、拡張可能なクリップ；および前記拡張可能なクリップと解除可能に係合し、前記拡張可能なクリップの前記拡張直径までの前記拡張可能なクリップの半径方向外側拡張を抑制するクリップ保持装置を含む、カムシャフトチェーンテンショナ。【選択図】図２
2021513032.tif 000002
【特許請求の範囲】
【請求項１】
カムシャフトチェーンテンショナであって、
少なくとも１つの溝を含む外周面を有するピストン；
外周面の周りに配置され、第１の端部および第２の端部を含む拡張可能なクリップであって、前記拡張可能なクリップは、静止直径から拡張直径まで拡張可能であり、前記静止直径に存在する前記拡張可能なクリップは、前記溝のうちの１つの溝と係合し、前記拡張直径に存在する前記拡張可能なクリップは、前記ピストン上に加えられた軸方向の力に応じて前記ピストンの軸方向の移動を可能にする、前記拡張可能なクリップ；および
前記拡張可能なクリップと解除可能に係合し、前記拡張可能なクリップの前記拡張直径までの前記拡張可能なクリップの半径方向外側拡張を抑制するクリップ保持装置を含む、カムシャフトチェーンテンショナ。
【請求項２】
前記ピストンが外側に延長し、内側に収縮することができるピストンボアを含むハウジングをさらに含み、前記ピストンボアは、上部肩部を含むクリップ移動領域を含み、前記拡張可能なクリップは、前記ピストンに係合するとき、および前記クリップ保持装置によって係合されていないとき、前記拡張可能なクリップが前記クリップ移動領域の前記上部肩部に当接して、前記拡張可能なクリップが前記少なくとも１つの溝の上に強制されるように、前記ピストンが前記ピストンボアの外に強制されるときに前記拡張可能な直径まで拡張するように構成される、請求項１に記載のカムシャフトチェーンテンショナ。
【請求項３】
前記ピストンボアの前記クリップ移動領域は、下部肩部をさらに含み、前記拡張可能なクリップが前記ピストンに係合するとき、および前記拡張可能なクリップが前記クリップ保持装置によって係合されていないとき、前記拡張可能なクリップが前記クリップ移動領域の前記下部肩部に当接して、前記拡張可能なクリップが前記下部肩部および前記少なくとも１つの溝によって圧縮されるように、前記ピストンが前記ピストンボア内に強制されるときに、前記拡張可能なクリップが前記拡張可能な直径まで拡張するのが防止されるようにする、請求項２に記載のカムシャフトチェーンテンショナ。
【請求項４】
前記拡張可能なクリップは、前記拡張可能なクリップの前記第１の端部が前記拡張可能なクリップの前記第２の端部に対して変位されるとき、前記拡張可能なクリップが拡張するように構成され、前記クリップ保持装置は、前記拡張可能なクリップの前記第１の端部の外側面に係合する第１の突出端部および前記拡張可能なクリップの前記第２の端部の外側面に係合する第２の突出端部を含み、前記拡張可能なクリップの前記第２の端部に対する前記第１の端部の外側移動を防止するだけでなく、前記ピストンの前記軸方向の移動を防止する、請求項１に記載のカムシャフトチェーンテンショナ。
【請求項５】
前記拡張可能なクリップは、重複領域を含み、前記拡張可能なクリップの前記第１の端部が前記拡張可能なクリップの前記第２の端部に比較的より近く強制されるとき、前記拡張可能なクリップが拡張するように構成され、前記クリップ保持装置は、前記拡張可能なクリップの前記第１の端部および前記第２の端部の外側面に係合する第１の突出端部を含み、前記拡張可能なクリップの前記第２の端部に対する前記第１の端部の内側移動を防止するだけでなく、前記ピストンの前記軸方向の移動を防止する、請求項１に記載のカムシャフトチェーンテンショナ。
【請求項６】
カムシャフトチェーンテンショナであって、
最小直径および最大直径をそれぞれ含む複数の溝を含む外周面を有するピストン；
前記ピストンの軸方向の移動を制御し、第１の端部および第２の端部を含む拡張可能なクリップであって、前記拡張可能なクリップは、静止直径から拡張直径まで拡張可能であり、前記静止直径は前記最小直径以上で前記最大直径未満であり、前記拡張直径は前記最大直径以上である、前記拡張可能なクリップ；および前記拡張可能なクリップの重複領域または前記拡張可能なクリップの前記第１の端部および前記第２の端部の両方で前記拡張可能なクリップと係合するクリップ保持装置を含み、前記クリップ保持装置は、前記拡張可能なクリップが前記拡張可能なクリップの前記拡張直径まで拡張するか、または前記拡張直径を超えることが防止されるように前記拡張可能なクリップと係合する、カムシャフトチェーンテンショナ。
【請求項７】
前記ピストンが外側に延長し、内側に収縮することができるピストンボアを含むハウジングをさらに含み、前記ピストンボアは、上部肩部を含むクリップ移動領域を含み、前記拡張可能なクリップは、前記ピストンに係合するとき、および前記クリップ保持装置によって係合されていないとき、前記拡張可能なクリップが前記クリップ移動領域の前記上部肩部に当接して、前記拡張可能なクリップが前記複数の溝のうちの第１の溝の上に強制されるように、前記ピストンが前記ピストンボアの外に強制されるときに前記拡張可能な直径まで拡張するように構成される、請求項６に記載のカムシャフトチェーンテンショナ。
【請求項８】
前記ピストンボアの前記クリップ移動領域は、下部肩部をさらに含み、前記拡張可能なクリップが前記ピストンに係合するとき、および前記拡張可能なクリップが前記クリップ保持装置によって係合されていないとき、前記拡張可能なクリップが前記クリップ移動領域の前記下部肩部に当接して、前記拡張可能なクリップが前記下部肩部および前記複数の溝のうちの第２の溝によって圧縮されるように、前記ピストンが前記ピストンボア内に強制されるときに前記拡張可能なクリップが前記拡張可能な直径まで拡張するのが防止されるようにする、請求項７に記載のカムシャフトチェーンテンショナ。
【請求項９】
前記クリップ保持装置は、前記拡張可能なクリップの前記第１の端部および前記第２の端部の両方で前記拡張可能なクリップと係合し、前記拡張可能なクリップは、前記拡張可能なクリップの前記第１の端部が前記拡張可能なクリップの前記第２の端部に対して変位されるとき、前記拡張可能なクリップが拡張するように構成され、前記クリップ保持装置は、前記拡張可能なクリップの前記第１の端部の外側面に係合する第１の突出端部および前記拡張可能なクリップの前記第２の端部の外側面に係合する第２の突出端部を含み、これによって前記拡張可能なクリップの前記第２の端部に対する前記第１の端部の外側移動を防止するだけでなく、前記ピストンの前記軸方向の移動を防止する、請求項６に記載のカムシャフトチェーンテンショナ。
【請求項１０】
前記クリップ保持装置は、前記拡張可能なクリップの重複領域で前記拡張可能なクリップと係合し、前記拡張可能なクリップは、前記拡張可能なクリップの前記第１の端部が前記拡張可能なクリップの前記第２の端部に比較的より近く強制されるとき、前記拡張可能なクリップが拡張するように構成され、前記クリップ保持装置は、前記拡張可能なクリップの前記第１の端部および前記第２の端部の外側面に係合する第１の突出端部を含み、これによって前記拡張可能なクリップの前記第２の端部に対する前記第１の端部の内側移動を防止するだけでなく、前記ピストンの前記軸方向の移動を防止する、請求項６に記載のカムシャフトチェーンテンショナ。
【請求項１１】
カムシャフトチェーンテンショナのピストンの軸方向の移動を抑制する方法であって、
ピストンの外周面の周りに拡張可能なクリップを配置するステップであって、前記外周面は、前記拡張可能なクリップが配置される複数の係合溝を含み、前記拡張可能なクリップは、第１の端部および第２の端部を含み、前記拡張可能なクリップは、静止直径から拡張直径まで拡張可能である、前記配置するステップ；および
前記拡張可能なクリップが前記拡張直径まで拡張することが防止されるように、前記拡張可能なクリップの重複領域または前記拡張可能なクリップの第１の端部領域および第２の端部領域で前記拡張可能なクリップをクリップ保持装置と係合するステップを含む、方法。
【請求項１２】
油圧作動式カムシャフトチェーンテンショナをエンジンに取り付けた後、前記クリップ保持装置を取り外すステップをさらに含む、請求項１１に記載の方法。
【請求項１３】
前記クリップ保持装置は、前記クリップ保持装置を前記カムシャフトチェーンテンショナの他の構成要素から視覚的に区別する視覚インジケータを含む、請求項１２に記載の方法。
【請求項１４】
前記取り外すステップの後に、前記カムシャフトチェーンテンショナを内燃機関に取り付けるステップをさらに含む、請求項１２に記載の方法。
【発明の詳細な説明】
【技術分野】
【０００１】
本出願は、チェーンテンショナアセンブリ（ｃｈａｉｎ  ｔｅｎｓｉｏｎｅｒ  ａｓｓｅｍｂｌｙ）に関し、より詳細には、チェーンテンショナアセンブリが車両に使用するために取り付けられていないときにチェーンテンショナアセンブリのピストンの軸方向の移動を防止することに関する。
【背景技術】
【０００２】
チェーンは、ギアおよび／またはスプロケット（ｓｐｒｏｃｋｅｔ）を使用してシャフト間の回転力を変換するのに使用され得る。例えば、車両の内燃機関（ＩＣＥ）は、最終的には車両の１つ以上の車輪を駆動させる回転力を生成するのに使用されるクランクシャフトを含み得る。クランクシャフトは、空気−燃料混合物がＩＣＥの燃焼室に流入させることができるようにし、その後に点火されてエンジンのピストンを駆動させることができる、エンジンピストン作動時に使用される一連のバルブを作動させるカムシャフトと同期化され得る。クランクシャフトおよびカムシャフトは、スプロケットと各々のシャフトを連結するタイミングチェーンまたはタイミングベルトを使用してタイミングを合わせることができる。しかし、タイミングチェーンは、経時的に摩耗されることができ、拡張または伸長されることができ、これにより、カムシャフトまたはクランクシャフトのいずれかまたは両方のスプロケットからのタイミングチェーン分離によってエンジン故障をもたらすことができる。チェーンの分離を防止するために、チェーンに力を加えてチェーンの弛みを引張または吸収させるチェーンテンショナが使用される。
【発明の概要】
【０００３】
一実施形態において、カムシャフトチェーンテンショナが提供され、該カムシャフトチェーンテンショナは：少なくとも１つの溝を含む外周面を有するピストン；外周面の周りに位置決めされ、第１の端部および第２の端部を含む拡張可能なクリップであって、前記拡張可能なクリップは、静止直径から拡張直径まで拡張可能であり、静止直径に存在する拡張可能なクリップは、溝のうちの１つの溝と係合し、拡張直径に存在する拡張可能なクリップは、ピストン上に加えられた軸方向の力に応じてピストンの軸方向の移動を許容する、拡張可能なクリップ；および拡張可能なクリップと解除可能に係合し、拡張可能なクリップの拡張直径までの拡張可能なクリップの半径方向外側拡張を抑制するクリップ保持装置を含む。
【０００４】
別の実施形態において、カムシャフトチェーンテンショナが提供され、該カムシャフトチェーンテンショナは：最小直径および最大直径をそれぞれ含む複数の溝を含む外周面を有するピストン；ピストンの軸方向の移動を制御し、第１の端部および第２の端部を含む拡張可能なクリップであって、前記拡張可能なクリップは、静止直径から拡張直径まで拡張可能であり、静止直径は最小直径以上で最大直径未満であり、拡張直径は最大直径以上である、拡張可能なクリップ；および拡張可能なクリップの重複領域または拡張可能なクリップの第１の端部および第２の端部の両方で拡張可能なクリップと係合するクリップ保持装置であって、クリップ保持装置は、拡張可能なクリップが拡張可能なクリップの拡張直径まで拡張するか、または拡張直径を超えることが防止されるように拡張可能なクリップと係合する、クリップ保持装置を含む。
【０００５】
さらに別の実施形態において、カムシャフトチェーンテンショナのピストンの軸方向の移動を抑制する方法が提供され、該方法は、ピストンの外周面の周りに拡張可能なクリップを配置するステップであって、外周面は、拡張可能なクリップが配置される複数の係合溝を含み、拡張可能なクリップは、第１の端部および第２の端部を含み、拡張可能なクリップは、静止直径から拡張直径まで拡張可能である、配置するステップ；および拡張可能なクリップが拡張直径まで拡張することが防止されるように、拡張可能なクリップの重複領域または拡張可能なクリップの第１の端部領域および第２の端部領域の両方で、拡張可能なクリップをクリップ保持装置と係合するステップを含む。
【図面の簡単な説明】
【０００６】
【図１】チェーンテンショニングシステムの一具現例を示す側面図である。
【図２】チェーンテンショニングアセンブリの一部の一具現例を示す断面斜視図である。
【図３】静止直径状態にあるチェーンテンショニングアセンブリの拡張可能なクリップの第１の実施形態の一具現例を示す側面図である。
【図４】拡張直径状態にあるチェーンテンショニングアセンブリの拡張可能なクリップの第１の実施形態の一具現例を示す側面図である。
【図５】チェーンテンショニングアセンブリの拡張可能なクリップの第２の実施形態の一具現例を示す側面図である。
【図６】チェーンテンショニングアセンブリの拡張可能なクリップの第３の実施形態の一具現例を示す側面図である。
【図７】チェーンテンショニングアセンブリの拡張可能なクリップの第４の実施形態の一具現例を示す側面図である。
【図８】チェーンテンショニングアセンブリの拡張可能なクリップの第５の実施形態の一具現例を示す側面図である。
【図９】クリップ保持装置の第１の実施形態の一具現例を示す斜視図である。
【図１０】クリップ保持装置の第２の実施形態の一具現例を示す斜視図である。
【図１１】拡張可能なクリップの第１の実施形態に係合されたクリップ保持装置の第１の実施形態の具現例を示すプロファイル図である。
【図１２】拡張可能なクリップの第２の実施形態に係合されたクリップ保持装置の具現例を示すプロファイル図である。
【図１３】拡張可能なクリップの第５の実施形態に係合されたクリップ保持装置の第２の実施形態の具現例を示す図である。
【発明を実施するための形態】
【０００７】
ピストンを実質的に取り囲む拡張可能なクリップが拡張することを制限するクリップ保持装置を含む、カムシャフトチェーンテンショナのピストンの軸方向の移動を制限または防止するシステムおよび方法が提供される。カムシャフトチェーンテンショナアセンブリは、内燃機関（ＩＣＥ）内のテンショナアセンブリの作動中に、ピストンがタイミングチェーンに力を加えて弛みを減少させ、それぞれのスプロケットからのタイミングチェーンの分離を防止するように、ピストンが延長することを可能にする拡張可能なクリップを含む。カムシャフトチェーンテンショナアセンブリは、ピストンボア内に少なくとも部分的に保持され、少なくとも１つの溝を含むピストン、ピストンボアの開口端に向かって軸方向にピストン上に力を加えるばね、およびピストンの外周面の周りに位置決めされる拡張可能なクリップを含み得る。拡張可能なクリップは、ピストンボア内のクリップ移動領域に対応する領域内のピストンの外周面の周りに位置決めされ得る。さらに、クリップ移動領域および拡張可能なクリップは、拡張可能なクリップがピストンボア内でピストンの収縮を防止しながら、ピストンがピストンボアの外側に延長することを可能にするようにともに構成され得る。
【０００８】
少なくとも一実施形態において、ピストンは、拡張可能なクリップがピストンに沿って摺動することを防止する１つ以上の溝を含み得る。しかしながら、拡張可能なクリップは、クリップ移動領域の上部肩部に当接する拡張可能なクリップに応じて、ピストンの延長中にピストンおよび溝（複数）に対して軸方向に拡張および移動することができる。拡張可能なクリップは、拡張直径まで半径方向外側に拡張されることにより、拡張可能なクリップが溝に対して移動することを可能にすることができる。そして、ピストン収縮力の印加中に、拡張可能なクリップは、クリップ移動領域内で移動されることができ、その後に、クリップ移動領域の下部肩部に当接することができ、これにより、拡張可能なクリップの拡張直径までの拡張を防止することができる。したがって、ピストンボア内に拡張可能なクリップおよびクリップ移動領域を含むカムシャフトチェーンテンショナアセンブリは、ピストンの延長を許容し、ピストンの収縮を禁止するように作用することができる。
【０００９】
それにもかかわらず、テンショナアセンブリが車両エンジンのようなＩＣＥに取り付けられていない場合には、カムシャフトチェーンテンショナピストンが特定の時間中に延長することを制限することが望ましい場合がある。例えば、カムシャフトチェーンテンショナアセンブリは、例えば、テンショナアセンブリの運送中に、ＩＣＥから離れているが、ピストンを軸方向に固定された位置に維持するのが役に立つ。したがって、カムシャフトチェーンテンショナアセンブリは、拡張可能なクリップと係合し、拡張可能なクリップの拡張直径までの拡張を防止することにより、テンショニングピストンの軸方向の移動を防止または抑制するクリップ保持装置を含み得る。クリップ保持装置は、拡張可能なクリップの第１および第２の端部で拡張可能なクリップを保持することができ、および／または拡張可能なクリップの重複領域で拡張可能なクリップを保持することができる。そして、いくつかの実施形態において、クリップ保持装置は、拡張可能なクリップのみに係合し、任意の他の構成要素とは係合しない。カムシャフトチェーンテンショナアセンブリおよびクリップ保持装置の様々な実施形態が以下に提供され、以下の議論に照らして当業者には他の多くのものが理解されるであろう。
【００１０】
図１を参照すると、クランクシャフト１０、クランクシャフトスプロケット１２、カムシャフト２０、カムシャフトスプロケット２２、タイミングチェーン３０、テンショニングアーム４０、およびカムシャフトチェーンテンショナ１００を含むチェーンテンショニングシステム１が示されている。示されたように、タイミングチェーン３０は、クランクシャフト１０とカムシャフト２０とのタイミングを同期化させるクランクシャフトスプロケット１２およびカムシャフトスプロケット２２を連結する。多くの実施形態において、カムシャフトチェーンテンショナ１００は、油圧作動式のカムシャフトチェーンテンショナであり得る。
【００１１】
クランクシャフト１０は、複数のピストンに順番に連結される複数のコネックティングロッドに連結され得る。各々のピストンは、シリンダーヘッド内で摺動し、空気−燃料混合物が供給されて燃焼される燃焼室と連通することができる。燃焼は、シリンダー内でピストンを軸方向に力を付与することによってクランクシャフト１０を回転させる。クランクシャフトスプロケット１２は、クランクシャフト１０に連結され、したがって、クランクシャフト１０とともに回転する。クランクシャフト１０からの回転力は、クランクシャフトスプロケット１２、カムシャフトスプロケット２２、および前記クランクシャフトスプロケット１２と前記カムシャフトスプロケット２２とを回転可能に連結するタイミングチェーン３０を使用してカムシャフト２０を回転させるために使用され得る。
【００１２】
カムシャフト２０は、カムシャフトが回転するにつれて複数のバルブを開閉することができる。カムシャフト２０を回転させるクランクシャフト１０からの回転力は、空気−燃料混合物をエンジンの燃焼室内に導入することを可能にする流入口を開閉するだけでなく、燃焼後に排気ガスを排出することを可能にする排出口を開閉する複数のバルブを作動させるのに使用され得る線形駆動力（ｌｉｎｅａｒ  ｆｏｒｃｅ）に変換され得る。
【００１３】
タイミングチェーン３０は、カムシャフト２０とクランクシャフト１０との回転を同期化のような、スプロケットおよび／またはシャフト動作を同期化させることに使用され得るチェーンである。別の実施形態において、タイミングチェーン３０は、経時的に摩耗および／または伸び、摩耗によって引き起こされたチェーンの弛みを減少させるために使用され得るチェーンテンショナ構成要素と接触する任意の他のチェーンであり得る。タイミングチェーン３０は、スプロケット１２または２２のようなスプロケット上の１つ以上の歯とそれぞれ係合する複数のチェーンリンクを含む。図示の実施形態におけるテンショニングアーム４０は、アーム４０がタイミングチェーン３０に当接する境界面に沿って湾曲される細長部材として示されている。テンショニングアーム４０は、タイミングチェーン３０での弛みの量を減少させるために、タイミングチェーン３０に向かって移動され得る。テンショニングアーム４０は、テンショニングアーム４０をタイミングチェーン３０に向かって移動させるのに使用され得るテンショニングピストン１１０（図２）を含むチェーンテンショナアセンブリ１００によって移動される。テンショニングアーム４０は、図１に示されたように、単一の枢動点（ｐｉｖｏｔ  ｐｏｉｎｔ）４２を含むことができ、テンショニングアーム−チェーン界面は様々な方式で湾曲および／または形状化され得る。
【００１４】
図２を参照すると、内部構成要素が例示され得るように切り取られたハウジング１０２の一部を有した車両内燃機関（ＩＣＥ）（図１に示されたものなど）に取り付けられることができるチェーンテンショニングアセンブリ１００の断面斜視図が示されている。カムシャフトチェーンテンショナアセンブリ１００は、ハウジング１０２、ピストンボア１２０内に少なくとも部分的に保持されるピストン１１０、ばね１３０、流体チャンネル１４０、および拡張可能なクリップ１５０を含む。ハウジング１０２は、ピストン１１０を実質的に囲むことができ、拡張可能なクリップ１５０の突出端部がハウジング１０２およびピストンボア１１０に対して移動することを可能にする開口またはキャビティを含み得る。上述したように、チェーンテンショニングアセンブリ１００は、ピストン１１０を介してテンショニングアーム４０に力を印加することによってチェーン３０の弛みの量を減少させるのに使用され得る。ピストン１１０は、ピストンボア１２０内に少なくとも部分的に保持され、ばね１３０は、テンショニングアーム４０に向かう方向にピストン１１０上に力を印加してテンショニングアーム４０が実際にタイミングチェーン３０に当接するようになる。したがって、チェーン長さが増加するタイミングチェーンの摩耗を通してタイミングチェーン３０内に弛みが導入されるとき、ピストン１１０がばね１３０によってテンショニングアーム４０内に押し込まれることによって弛みが減少することができる。
【００１５】
ばね１３０は、ピストンボア１２０の底部１２２に向かって位置決めされ、ピストンボア１２０の底部に当接する第１の端部を含み得る。ばね１３０の第２の端部は、ピストンヘッド１１４の下側部のようなピストン１１０の端部、または別の構成要素と当接することによってピストン１１０がピストンボア１２０から外方へテンショニングアーム４０に向かって押し出され得る。一実施形態において、ばね１３０は、低テンションばね（ｌｏｗ−ｔｅｎｓｉｏｎ  ｓｐｒｉｎｇ）であることができ、金属合金または同様の弾性材料から構成され得る。
【００１６】
流体チャンネル１４０は、オイルまたは他の油圧流体のような流体を、ピストンボア１２０の底部または底部近くに位置された流体チャンバ１４２に伝達するのに使用される経路を含み得る。また、流体保持構成要素１４４は、ピストンボア１２０の底部とピストン１１０の本体との間に位置決めされ得るので、流体チャンバ１４２は、ピストンボア１２０の底部およびピストン保持構成要素１４４によって定義される。一実施形態において、流体保持構成要素１４４は、ピストンヘッド１１４の下部側のようなピストン１１０の一部であることができ、他の実施形態においては、流体保持構成要素１４４がばね１３０とピストン１１０との間に位置決めされ得る。流体保持構成要素１４４は、流体チャンバ１４２内に流体チャンネル１４０から受容された流体を保持する役割をする。ピストン１１０がピストンボア１２０から外方へ延びるにつれて、流体チャンバ１４２の体積が増加してより多くの流体が流体チャンネル１４０を通って流体チャンバ１４２に伝達される。また、いくつかの実施形態において、流体チャンネル１４０は、ピストンが延びるときに流体が流体チャンバ１４２内に伝達することを可能にし、流体チャンネル１４０を通って再び連通するのが防止されることによってピストンの収縮を防止するチェックバルブを含み得る。
【００１７】
ピストン１１０は、複数の溝１１２および１つのピストンヘッド１１４を含むように示されている。ピストンヘッド１１４は、ピストン−テンショニングアームインターフェースとして作用し、当接（ａｂｕｔｍｅｎｔ）および／または機械的取り付けを介した方法のような様々な異なる方式でテンショニングアーム４０に結合され得る。ピストン１１０は、ピストン１１０の外周面に溝１１２を含み、少なくとも１つの実施形態において、ピストン１１０は、ピストンの上部付近またはピストンの底部付近に位置され得る、例えば、ピストンボア１２０の開口１２３またはピストンボア１２０の底部１２２付近にまたはそれに向かってそれぞれ位置決めされ得る単一の溝１１２を含み得る。ピストン１１０の溝１１２は、拡張可能なクリップ１５０の断面直径にほぼ対応する軸方向長さに延びるピストンの少径部分から形成され得る。溝１１２は、ピストン１１０の直径または円周が変化するように半径方向内側または半径方向外側に延びる表面を含むので、以下で詳細に説明されるように、拡張可能なクリップ１５０は、ピストン１１０の延長を許容することはできるがピストン１１０の収縮は許容しない。溝１１２は、様々な異なる方式に形成されることができ、一実施形態において、ピストンの外周面が半径方向内側にかつ半径方向外側に傾斜している角度付き壁（ａｎｇｌｅｄ  ｗａｌｌ）を含み得る。他の実施形態において、溝１１２は、円形または楕円形の断面のような湾曲した断面を含み得る拡張可能なクリップ１５０と係合するように形状化された滑らかな湾曲した湾入部（ｉｎｄｅｎｔａｔｉｏｎ）で形成され得る。また、多くの実施形態において、溝１１２は、ピストン１１０の外周面１１６に沿って拡張可能なクリップのラチェッティング作動（ｒａｔｃｈｅｔｉｎｇ  ｏｐｅｒａｔｉｏｎ）を容易にする非対称壁を含み得る。これらの非対称壁は、ピストン１１０の軸方向に対して異なる角度で傾斜され得る。
【００１８】
ピストンボア１２０は、ピストン１１０を全体に収縮させるのに適した内径を含み得る。内径は、溝１１２を含むピストン１１０がピストンボア１２０内で軸方向に摺動することができるように、溝１１２の上部肩部でピストン１１０の直径に対応することができる。さらに、ピストンボア１２０はまた、拡張可能なクリップ１５０がピストン１１０に対して軸方向に移動することを可能にするクリップ移動領域１２４を含むこともできる。
【００１９】
拡張可能なクリップ１５０は、ピストン１１０の外周面１１６と係合し、クリップ移動領域１２４内で軸方向に位置決めされる。拡張可能なクリップ１５０は、金属または別の同様の弾性材料だけでなく、クリップ１５０が拡張直径に拡張されることができるように拡張可能なクリップ１５０の弾性拡張を許容する任意の適切な材料から構成され得る。クリップ１５０はまた、クリップ１５０がピストン１１０と係合する領域で、例えば、溝１１２内でピストン１１０の外周面１１６の直径に対応する静止直径を含み得る。このような方式により、拡張可能なクリップ１５０は、外周面１１６の周りに嵌合されるように構成されることができ、また溝１１２内に嵌合されるように設計されることもできる。
【００２０】
クリップ移動領域１２４は、クリップ１５０の軸方向の移動が可能になるようにピストンボア１２０の他の軸方向部分の内径よりも大きい内径を含むピストンボア１２０の軸方向断面によって定義されるピストンボア１２０内のキャビティである。また、クリップ移動領域１２４は、下部肩部１２６および上部肩部１２８を含み得る。上部肩部１２８は、ピストンボア１２０の軸方向軸と直交する表面を含むことができ、したがって、ピストン１１０がピストンボア１２０から外側に拡張されるとき、拡張可能なクリップ１５０は上部肩部１２８によってクリップ移動領域１２４内に保持される。ピストン１１０が延びるとき、拡張可能なクリップ１５０は第１の溝１１２によって押し込まれて上部肩部１２８に当接し、十分な軸方向の力が印加されるとき、拡張可能なクリップ１５０は拡張直径まで拡張されることによってクリップ１５０が溝１１２およびピストン１１０に対して軸方向に移動することを可能にする。溝１１２に対して軸方向に移動した後、拡張可能なクリップ１５０は、第１の溝に隣接し、それから軸方向に離隔された別の溝内に位置決めされることができ、その静止直径に戻り得る。
【００２１】
クリップ移動領域１２４の下部肩部１２６は、拡張可能なクリップ１５０が拡張直径まで拡張することを可能にせず、したがって、拡張可能なクリップ１５０が溝１１２に対して軸方向に移動することを防止するだけでなく、ピストンボア１２０内でのピストン１１０の収縮を防止する傾斜するか角度付き壁を含む。ピストン１１０がタイミングチェーン３０からピストンボア１２０内に押し込まれるとき、拡張可能なクリップ１５０は、下部肩部１２６の傾斜するかまたは角度付き壁と当接することによって拡張可能なクリップ１５０が傾斜した壁とピストン１１０の外周面１１６と間で圧縮され得る。拡張可能なクリップ１５０の圧縮は、ピストン１１０がピストンボア１２０内でさらに収縮されることができないように拡張可能なクリップ１５０の拡張を制限する。
【００２２】
図３〜図８を参照すると、拡張可能なクリップ１５０の様々な実施形態が示されている。拡張可能なクリップ１５０は、第１の端部１５２および第２の端部１５４を含み得る。少なくとも１つの実施形態において、図２だけでなく図５にも示されたように、第１の端部１５２が、ピストン１１０の軸方向に曲げられ、ピストンボア１２０の底部１２２に向かって下方に向くことができる一方、第２の端部１５４は、ピストンヘッド１１４に向かって軸方向に曲げられることができる。そして、図５および図６に示されたように、拡張可能なクリップ１５０は、拡張可能なクリップ１５０の一部が円周方向に互いに重複および／または交差する重複領域１５６も含み得る。上記したように、拡張可能なクリップ１５０は、クリップ１５０がピストン１１０と係合する領域でピストン１１０の外周面１１６の直径に対応する静止直径（ｄ１）を含み得る。
【００２３】
図３および図４は、拡張可能なクリップ１５０の一実施形態を示し、ここで、図３は、静止直径（ｄ１）に存在する拡張可能なクリップ１５０を示し、図４は、拡張直径（ｄ２）に存在する拡張可能なクリップ１５０を示す。クリップ１５０は、ピストン１１０およびピストン１１０の溝１１２のうちの１つの溝に対して拡張可能なクリップ１５０を軸方向に変位させることにより、拡張直径（ｄ２）まで拡張されることができ、これは、ピストン１１０が軸方向に移動するにつれてクリップ移動領域１２４内でピストンボア１２０の内側ボア壁と当接するクリップ１５０を通して実行され得る。図５〜図８は、それぞれが第１の端部１５２、第２の端部１５４、および内側重複領域１５８を含む重複領域１５６を含む拡張可能なクリップ１５０の他の実施形態を示す。重複領域１５６は、図５〜図８に示されたように、クリップ１５０の細長本体が細長本体の別の部分と重複する拡張可能なクリップの該部分を含む。さらに、重複領域１５６は、第１の突出端部１５２と第２の突出端部１５４との間にある重複領域１５６で拡張可能なクリップ１５０の一部から構成される内側重複領域１５８を含み得る。クリップ保持装置１６０は、以下により詳細に説明されるように、拡張可能なクリップ１５０の内側重複領域１５８（図９〜図１３）と係合する。図３〜図８の拡張可能なクリップ１５０の示された実施形態がいくつうかの潜在的な実施形態を示しているので、様々な他のクリップおよび／またはラチェット装置がチェーンテンショニング装置１００とともに使用され得る。
【００２４】
図９および図１０を参照すると、拡張可能なクリップ１５０を静止直径に維持し、および／またはクリップ１５０が拡張直径まで拡張することを防止するのに使用され得るクリップ保持装置１６０が示されている。したがって、拡張可能なクリップ１５０が半径方向に拡張することを防止することにより、クリップ保持装置１６０は、任意の溝１１２に対してクリップ１５０が軸方向に移動することを防止することができ、これは、ピストンボア１２０内でピストン１１０の軸方向の移動を防止するように作用する。少なくとも１つの実施形態において、クリップ保持装置１６０は、チェーンテンショナアセンブリ１００を使用しないときに、すなわち、チェーンテンショナアセンブリ１００が現在テンショニングアーム４０に力を加えるためのシステムに組み込まれていないときに、拡張可能なクリップ１５０に解除可能に結合されることができ、これによってチェーン３０の弛みを減少させることができる。例えば、チェーンテンショナアセンブリ１００が、例えば、組み立て、パッケージング、および／または運送中にＩＣＥから離れているとき、クリップ保持装置１６０は、ピストン１１０がピストンボア１２０内に保持されるように、拡張可能なクリップ１５０の一部と係合することができる。図９は、第１の突出端部１６２、第２の突出端部１６４、および第１および第２のクリップ当接面を含むクリップ当接面１６６を含むクリップ保持装置１６０の実施形態を示す。この特定のクリップ保持装置１６０は、拡張可能なクリップ１５０の第２の端部１５４に対する第１の端部１５２の変位（および／または半径方向外側移動）を防止することにより、拡張可能なクリップ１５０の拡張を防止するのに使用され得る。クリップ保持装置１６０は、第１の突出端部１６２と第２の突出端部１６４とを架橋する細長部材１６５から構成され得る。第１の突出端部１６２および第２の突出端部１６４は、それぞれ細長部材１６５から実質的に垂直に延長されることができ、これらの端部１６２〜１６４のそれぞれは、第１の端部１５２および第２の端部１５４で拡張可能なクリップ１５０に当接する表面を含み得る。
【００２５】
図１０は、第１の突出端部１６２、第２の突出端部１６４、クリップ当接面１６６、および溝１６８を含む別のクリップ保持装置１６０を示す。示されたように、クリップ当接面１６６は、拡張可能なクリップ１５０と係合し、拡張可能なクリップ１５０の第２の端部１５４に対する第１の端部１５２の移動を防止または抑制する溝１６８を形成し、拡張可能なクリップ１５０が拡張することを防止する。クリップ保持装置は、チェーンテンショニングアセンブリ１００を意図したエンジンまたは他のシステム内に取り付けるときに、組立技術者がクリップ保持装置をよりよく認識するように、クリップ保持装置をカムシャフトチェーンテンショナの他の構成要素から視覚的に区別するために使用されるマーカーまたは視覚インジケータを含み得る。この視覚インジケータは、クリップ保持装置の少なくとも一部をよりよく認識可能に着色するために使用されることができ、例えば、クリップ保持装置は、ホットピンクまたは明るい黄色に着色され得る。
【００２６】
図１１〜図１３を参照すると、拡張可能なクリップ１５０と係合し、それによって拡張可能なクリップ１５０の拡張を防止するクリップ保持装置１６０の複数の実施形態が示されている。図１１は、図９に示されたようなクリップ保持装置１６０が、突出第１の端部１５２および突出第２の端部１５４の外側面の周りで拡張可能なクリップ１５０と係合する１つのこのような実施形態を示す。クリップ保持装置１６０は、突出第２の端部１５４に対する突出第１の端部１５２の半径方向外側拡張を防止するために、第１の突出端部またはポスト１６２および第２の突出端部またはポスト１６４を使用することにより、拡張可能なクリップ１５０の外側拡張を防止する。
【００２７】
図１２および図１３は、内側重複領域１５８で拡張可能なクリップ１５０と係合するクリップ保持装置１６０の２つの実施形態を示す。クリップ保持装置１６０は、例えば、図１０に示された溝１６８を形成する複数のクリップ当接面１６６を含み得る。図１２は、拡張可能なクリップ１５０の半径にぴったりと一致する円弧状または湾曲形状を形成する非平面クリップ当接面１６６を含む溝１６８を含む１つのこのような実施形態を示す。湾曲溝１６８は、クリップ保持装置が内側重複領域１５８の周りにぴったりと嵌合され得るように、内側重複領域１５８における拡張可能なクリップ１５０の形状に対応するように形成される。
【００２８】
図１３は、内側重複領域１５８で拡張可能なクリップ１５０と係合するクリップ保持装置１６０の別の実施形態を示す。内側重複領域１５８は（図１３に示されたように）、線形であることができ、クリップ保持装置は、２つ対向する直線クリップ当接面１６６だけでなく、（図１０のような）２つの直線クリップ当接面１６６の間に配置される内側クリップ当接面１６６を含む溝を含み得る。内側クリップ当接面１６６は（図１０のように）、線形であり得るか、または拡張可能なクリップ１５０の半径方向形状に対応するように円弧状または湾曲形状にすることができる。そして、いくつかの実施形態において、クリップ保持装置１６０の第１の端部１６２および／または第２の端部１６４は、２つの直線クリップ当接面１６６の長さが内側重複領域１５８における拡張可能なクリップ１５０の結合された直径よりも長くなるように外側に延長され得る。さらに、クリップ保持装置１６０の第１の端部１６２は、第１の端部１６２が拡張可能なクリップ１５０の第１の突出端部１５２と第２の突出端部１５４との間にぴったりと嵌合されるように形成され得る。
【００２９】
他の実施形態において、溝１６８は、拡張可能なクリップ１５０の重複領域１５６に対応する単一の湾曲したクリップ当接面１６６で形成され得る。湾曲したクリップ当接面は、半円形または実質的に半円形であり、内側重複領域１５８で拡張可能なクリップ１５０に一致する断面を含み得る。溝１６８は、拡張可能なクリップ１５０の重複領域１５６（または内側重複領域１５８）だけでなく、拡張可能なクリップ１５０の突出第１の端部１５２および突出第２の端部１５４の内側部分と係合することができる。クリップ保持装置１６０を拡張可能なクリップ１５０に係合することにより、クリップ保持装置１６０は、第２の端部１５４に比較的により近い第１の端部１５２の移動を防止することにより、拡張可能なクリップ１５０の拡張を防止する。
【００３０】
本明細書における例示は、単にこのような装置およびアセンブリの例を意図しているものにすぎず、クリップ保持装置１６０、拡張可能なクリップ１５０、およびチェーンテンショニングアセンブリ１００の様々な他の実施形態が存在する。このような装置またはアセンブリの異なる形状、サイズ、構成、および／または配置が使用され得るが、依然として、ピストンの外周面の周りに位置決めされる拡張可能なクリップとの係合を介してピストンボア内にピストンを保持するために、クリップ保持装置を使用することができる。
【００３１】
以上が本発明の１つ以上の実施形態の説明であることが理解されるべきである。本発明は、本明細書に開示された特定の実施形態（複数または単数）に限定されず、むしろ以下の特許請求の範囲によってのみ定義される。さらに、上記の説明に含まれる記述は、特定の実施形態に関するものであり、用語または句が上記に明示的に定義される場合を除いては、本発明の範囲または特許請求の範囲で使用される用語の定義を制限するものとして解釈されるものではない。様々な他の実施形態、ならびに開示された実施形態（複数または単数）に対する様々な変更および修正は、当業者には明らかになるであろう。このような他の実施形態、変更、および修正はすべて、添付の特許請求の範囲に含まれることを意図したものである。本明細書および特許請求の範囲で使用されているように、用語「ｅ．ｇ．，（例えば）」、「ｆｏｒ  ｅｘａｍｐｌｅ（例えば）」、「ｆｏｒ  ｉｎｓｔａｎｃｅ（例えば）」、「ｓｕｃｈ  ａｓ（など）」、「ｌｉｋｅ（のような）」、ならびに「ｃｏｍｐｒｉｓｉｎｇ（備える）」、「ｈａｖｉｎｇ（有する）」、「ｉｎｃｌｕｄｉｎｇ（含む）」およびそれらの他の動詞形態は、１つ以上の構成部品または他の品目のリストと併せて使用されるとき、それぞれがオープンエンドと解釈されるべきであり、そのことは他の追加の構成部品または品目を除外するものと見なされないことを意味する。他の用語は、異なる解釈を必要とする文脈で使用されない限り、それらの最も広い合理的な意味を用いて解釈されるべきである。また、用語「および／または」は、包括的なＯＲとして解釈されるべきである。したがって、例えば、句「Ａ、Ｂ、および／またはＣ」は、「Ａ」；「Ｂ」；「Ｃ」；「ＡおよびＢ」；「ＡおよびＣ」；「ＢおよびＣ」；および「Ａ、Ｂ、およびＣ」のうちのいずれか１つ以上を含むものと解釈されるべきである。
【図１】
2021513032.tif 000003
【図２】
2021513032.tif 000004
【図３】
2021513032.tif 000005
【図４】
2021513032.tif 000006
【図５】
2021513032.tif 000007
【図６】
2021513032.tif 000008
【図７】
2021513032.tif 000009
【図８】
2021513032.tif 000010
【図９】
2021513032.tif 000011
【図１０】
2021513032.tif 000012
【図１１】
2021513032.tif 000013
【図１２】
2021513032.tif 000014
【図１３】
2021513032.tif 000015
【国際調査報告】
2021513032.tif 000016
2021513032.tif 000017